(57)【要約】      （修正有）【課題】収納袋の下部シートの底部に複数（４〜８）の平状ベルトを設け、その両端を輪の形状に縫合して把手とし、棒状のものを差し込むことにより簡易担架として使用出来、収納袋底部に板様のものの挿入可能にして挿入することにより補強可能な収納袋の提供。【解決手段】安全性、利便性を重視しており、特に複数の平状ベルトを収納袋底面に縫合しその両端を把手部１としているため頑丈で、把手部に棒様のものを挿入することにより簡易担架としての利用が可能である。収納袋底部に平状ベルトを施しているが、その中央付近は縫合しておらず同中央に板状のものを挿入することにより簡易担架としての補強がなされ、被搬送者に対しての負担も減少する。【選択図】図１
0003129100.tif 000002
【実用新案登録請求の範囲】
【請求項１】
収納袋の下部シート底部に対し、帯状の平状ベルトを等間隔に複数（４〜８本）設け、底部中央付近を縫合せず、周縁部付近数カ所を縫合し、その両端を周縁部から出して把手し易いように輪（シートに対し平行）として把手部とした。
【請求項２】
0003129100.tif 000007
【請求項３】
前記各シートは、ポリエステル製である請求項１・２に記載のマルチ搬送用袋。
【考案の詳細な説明】
【考案の詳細な説明】
【技術分野】
【０００１】  本考案は、負傷者及び遺体を収納し搬送するための搬送用収納袋に関する。
【背景技術】
【０００２】  本考案に酷似するものは遺体を収納する遺体収納袋で、従来の遺体収納袋の把手部の多くは、収納袋自体に切り口を入れたものや周縁部に接合するものであり、遺体収納袋の周縁部を直接把持する把手部の無いものも散見する。【０００３】  また、被搬送者を覆う上部シート部の開閉部は、中央直線であったり、コの字型のものである。
【考案の開示】
【考案を解決しようとする課題】
【０００４】  従来の把手部は、前記の通り周縁部に接合したものや把手部が無く直接周縁部を把持するものであり、近年体型の良い者も増え体重・重量なども相当重くなっているのが現状である。
この様なことから、被搬送者の脱落防止、収納袋の破損防止などの強化が必要とされる。
【０００５】  また、従来の上部シートの開閉部にあっては、前記の通り中央直線であったり、コの字型が多く、中央直線の場合、上部つまり被搬送者の頭部や下部つまり足部分の開き具合が狭く収納に不便さが見られ、場合によっては、被搬送者に対し傷を付ける場合もある。
【０００６】  被搬送者の治療、及び遺体となった際の検視（案）など観察を要する場合、中央直線の開閉であれば開放口が狭く、治療、観察などしづらい。
コの字型の場合、開閉方向にもよるが（左右）体側の治療及び観察が困難である。
【課題を解決するための手段】
【０００７】  収納袋の下部シート底部に対し、帯状の平状ベルトを等間隔に複数（４〜８本）設け、底部中央付近を縫合せず、周縁部付近数カ所を縫合し、その両端を収納部周縁部から出して把手し易いように輪としたもので、帯状としたことにより補強が図れた。
【０００８】  また、把手部は平状ベルトを輪（口をシートに対し平行）にしているため、同部分に棒様のものの挿入が容易に出来、挿入することにより簡易の担架用として使用可能とした。
【０００９】  収納、治療、及び検視（案）などの観察が容易に出来るよう収納袋の上部シート開閉
0003129100.tif 000003
【００１０】  前記各シートは、ポリエステル製である請求項１・２に記載のマルチ搬送用袋である。
【考案の効果】
【００１１】  本考案は、遺体収納袋といった遺体のみの収納・搬送といったものではなく、災害時などにおいて負傷者が発生した際、担架などの到着を待つ猶予がない場合、多目的利用が可能なように棒様のものの挿入が容易に出来、挿入することにより簡易の担架として負傷者及び遺体を収納し、搬送可能とした。
従来の把手部でも棒様のものの挿入可能なものはあるが、挿入目的では無く把手する目的で製造されているので、切口、把手部などが上部（シートに対し垂直）に向き挿入しにくい。
【００１２】  収納袋の下部シート底部に対し帯状に平状ベルトを縫合して、その両端を収納部周縁部から出し把手するようにしたもので、底部に対し帯状としたことから強固である。
【００１３】  帯状に縫合されたベルトの中央付近を縫合していないため、現場などにおいて板様のものがあれば、挿入することにより補強可能となる。
袋のみでは体重、重量などにより歪んだりし、負傷者などに負担がかかるが、補強することにより、搬送中の揺れなどの抑止が出来、被搬送者に掛かる負担が軽減される。
【００１４】
0003129100.tif 000004
方向へ開けることによって、開放口が広くなり収納が容易に出来る。
【００１５】  上部シートのみ開放することが出来ることから、上半身の治療・観察が可能である。
【００１６】  また、左右の体側を治療・観察時においても、その（片側）部位のみの開放だけで良く、部分治療・観察が可能である。
前記［００１５］と同様、全開しなくても良いため、被搬送者のプライバシーを保守すること出来る。
【考案を実施するための最良の形態】
【００１７】  本考案は、複数（４〜８本）の平状ベルトを収納袋底面に縫合し、その両端を把手部としているため、安全性、利便性に富み、かつ丈夫さを兼ね備えている（図１、２参照）。【００１８】  把手部に棒様のものを挿入することにより、簡易の担架としての利用が可能である（図３参照）。【００１９】  収納袋底部に平状ベルトを施しているが、その中央付近は縫合しておらず、同中央に板様のものを挿入することによって補強がなされ、被搬送者に対しての負担が軽減する（図２，３参照）。【００２０】
0003129100.tif 000005
し入れなども容易である。【００２１】
0003129100.tif 000006
から、上部のみ開放することが出来、上半身の治療・観察が可能である。
また、左右の体側を治療・観察時においても、その（片側）部位のみの開放だけで良く、腕だけを外部に出し治療するなど部分治療・観察が可能である。【００２２】（本考案の特徴点）【００２３】  下部シートと上部シートの接合においては、被搬送者から流出される血液、排出物などの流出防止のため側面シートを設けている。【００２４】  本考案にかかる収納袋の全体はポリエステル製で、底部を支え、かつ把手するベルトは布製で形成されているため焼却処分することが出来る。
また、ファスナー部にあっては、ポリアミドの材質でありシートなどと同様焼却処分することが出来る。【００２５】  通常の担架のように常時棒などが挿入されていないため軽量で、保管はコンパクトである。【００２６】  収納袋上部の頭部付近にあたる部分には透明のポリプロピレン製シートの窓を設け、通常その確認窓は、不透明のポリエステル製シートで覆われマジックテープの脱着操作により捲り上げ、内部の確認を可能とした。【００２７】  被搬送者の氏名、各種所見などの関係書面を収納するためのポケット状のものを上部シートに設けている。【００２８】  本考案の搬送用収納袋は、前記した実施の形態に限定されず、本考案の要旨を逸脱しない範囲内において変更を加えることもある。
【図面の簡単な説明】
【００２９】
【図１】  本考案にかかる搬送用収納袋の表面を示した斜視図である。
【図２】  本考案にかかる搬送用収納袋の裏面を示した斜視図である。
【図３】  本考案にかかる搬送用収納袋の裏面で、仮装棒様のもの、及び板様のものを挿入した状態を示した斜視図である。
【符号の説明】
【００３０】１  把手部
２  把手用平状ベルトの縫合部
３  側面シート
４  下部シート
５  上部シート
６  ファスナー
７  （内部）確認窓
８  （仮装）棒様のもの
９  （仮装）板様のもの
【図１】
0003129100.tif 000008
【図２】
0003129100.tif 000009
【図３】
0003129100.tif 000010
【手続補正書】
【提出日】平成18年9月27日(2006.9.27)
【手続補正１】
【補正対象書類名】実用新案登録請求の範囲
【補正対象項目名】全文
【補正方法】変更
【補正の内容】
【実用新案登録請求の範囲】
【請求項１】
上部シートと下部シートからなる収納袋の下部シート底部に対し、帯状の平状ベルトを等間隔に複数設け、この平状ベルトを下部シートの底部中央付近で縫合せず、周縁部付近数カ所を縫合し、その両端を周縁部から出して把手し易いように輪として把手部としたマルチ搬送用袋。
【請求項２】
0003129100.tif 000011
とする請求項１記載のマルチ搬送用袋。
【請求項３】
前記各シートは、ポリエステル製である請求項１または２に記載のマルチ搬送用袋。
【手続補正２】
【補正対象書類名】明細書
【補正対象項目名】０００７
【補正方法】変更
【補正の内容】
【０００７】  収納袋の下部シート底部に対し、帯状の平状ベルトを等間隔に複数設け、底部中央付近を縫合せず、周縁部付近数カ所を縫合し、その両端を収納部周縁部から出して把手し易いように輪としたもので、帯状としたことにより補強が図れた。
【手続補正３】
【補正対象書類名】明細書
【補正対象項目名】０００８
【補正方法】変更
【補正の内容】
【０００８】  また、把手部は平状ベルトを輪にしているため、同部分に棒様のものの挿入が容易に出来、挿入することにより簡易の担架用として使用可能とした。
【手続補正４】
【補正対象書類名】明細書
【補正対象項目名】０００９
【補正方法】変更
【補正の内容】
【０００９】  収納、治療、及び検視などの観察が容易に出来るよう収納袋の上部シート開閉
0003129100.tif 000012
【手続補正５】
【補正対象書類名】明細書
【補正対象項目名】００１０
【補正方法】変更
【補正の内容】
【００１０】  前記各シートは、ポリエステル製である請求項１または２に記載のマルチ搬送用袋である。
【手続補正６】
【補正対象書類名】明細書
【補正対象項目名】００２６
【補正方法】変更
【補正の内容】
【００２６】  収納袋上部の頭部付近にあたる部分には透明のポリプロピレン製シートの窓を設け、通常その確認窓は、不透明のポリエステル製シートで覆われマジックテープ（登録商標）の脱着操作により捲り上げ、内部の確認を可能とした。